(57)【要約】【課題】３次元画像観察用眼鏡の装着者には正常な３次元画像を提示し、非装着者にはメッセージあるいは外乱情報などを含む付加情報を提示する。【解決手段】画像表示装置が左眼用画像フレームと右眼用画像フレームの間に付加情報を含む付加情報画像フレームを追加した画像フレームシーケンスを表示部に表示し、表示部に対する付加情報画像フレームの表示タイミングにおいて、観察者の装着した３次元画像観察用眼鏡の左右両眼に対するシャッタを閉状態に設定する制御信号を出力する。本構成により、３次元画像観察用眼鏡を装着した観察者は正常な３次元画像を観察でき、眼鏡非装着者は、例えば眼鏡装着を促すメッセージなどの付加情報を観察することができる。【選択図】図１
2010276721.tif 000002
【特許請求の範囲】
【請求項１】
左眼用画像フレームと右眼用画像フレームの間に付加情報を含む付加情報画像フレームを追加した画像フレームシーケンスを生成または入力して表示部に出力する画像出力制御部と、
前記画像出力制御部の出力する画像フレームシーケンスを表示する表示部と、
観察者の装着した３次元画像観察用眼鏡の左右の眼に対するシャッタの開閉制御信号を出力する制御信号出力部を有し、
前記制御信号出力部は、
前記表示部に対する付加情報画像フレームの表示タイミングにおいて左右両眼に対するシャッタを閉状態に設定する制御信号を出力する画像表示装置。
【請求項２】
前記制御信号出力部は、
前記表示部に対する左眼用画像フレームの表示タイミングにおいて左眼に対するシャッタのみを開状態に設定する制御信号を出力し、
前記表示部に対する右眼用画像フレームの表示タイミングにおいて右眼に対するシャッタのみを開状態に設定する制御信号を出力する請求項１に記載の画像表示装置。
【請求項３】
前記制御信号出力部は、
前記表示部に対する付加情報画像フレームの表示開始時間に先行して左右両眼に対するシャッタを閉状態に設定する制御信号を出力し、
前記表示部に対する付加情報画像フレームの表示終了時間に先行して左右いずれか一方の眼に対するシャッタのみを閉状態に設定する制御信号を出力する請求項１または２に記載の画像表示装置。
【請求項４】
前記制御信号出力部は、
前記表示部に対する付加情報画像フレームから次の表示フレームの表示遷移期間の終了時に左右いずれか一方の眼のみに対するシャッタを閉状態に設定する制御信号を出力する請求項１または２に記載の画像表示装置。
【請求項５】
前記画像出力制御部は、
同一の画像からなる複数の左眼用画像フレームの表示期間と、同一の画像からなる複数の右眼用画像フレームの表示期間を、前記付加情報画像フレームの表示期間より長く設定した画像フレームシーケンスを生成または入力して表示部に出力する請求項１〜４いずれかに記載の画像表示装置。
【請求項６】
前記付加情報画像フレームは、左眼用画像フレームまたは右眼用画像フレームの構成画像に付加情報を追加した多重情報画像フレームであり、
前記制御信号出力部は、
前記多重情報画像フレームの付加情報設定位置に応じて、付加情報が前記３次元画像観察用眼鏡を介して観察者の左右の眼のいずれにも入力しないように制御信号の出力タイミングを制御する請求項１または２に記載の画像表示装置。
【請求項７】
前記付加情報画像フレームは、
３次元画像観察用眼鏡の装着を促すメッセージを含む画像フレームである請求項１〜６いずれかに記載の画像表示装置。
【請求項８】
前記付加情報画像フレームは、
左眼用画像フレームまたは右眼用画像フレームの反転画像フレームである請求項１〜６いずれかに記載の画像表示装置。
【請求項９】
前記付加情報画像フレームは、
左眼用画像フレームまたは右眼用画像フレームに対する外乱情報を含む画像フレームである請求項１〜６いずれかに記載の画像表示装置。
【請求項１０】
左眼用画像フレームと右眼用画像フレームは、２次元画像を持つ画像フレームであり、
前記制御信号出力部は、
前記表示部に対する左眼用画像フレームまたは右眼用画像フレームの表示タイミングにおいて左右両眼に対するシャッタを開状態に設定する制御信号を出力する請求項１に記載の画像表示装置。
【請求項１１】
画像表示装置からの制御信号を受信する制御信号受信部と、
前記制御信号受信部の受信した制御信号に応じて３次元画像観察用眼鏡の左右の眼に対するシャッタの開閉処理を実行するシャッタ制御部と、
前記シャッタ制御部の制御によって開閉動作を行う前記３次元画像観察用眼鏡の左右の眼に対するシャッタを有し、
前記制御信号受信部の受信する制御信号は、前記３次元画像観察用眼鏡の左右の眼に対応するシャッタのいずれか一方のみを開とする制御信号と、左右両眼に対応するシャッタを閉とする制御信号が含まれ、
前記シャッタ制御部は、
前記制御信号に応じて、前記３次元画像観察用眼鏡の左右の眼に対応するシャッタのいずれか一方のみを開とする処理、または左右両眼に対応するシャッタを閉とする処理を実行する画像観察用眼鏡。
【請求項１２】
画像表示装置と画像観察用眼鏡を有する画像表示システムであり、
前記画像表示装置は、
左眼用画像フレームと右眼用画像フレームの間に付加情報を含む付加情報画像フレームを追加した画像フレームシーケンスを生成または入力して表示部に出力する画像出力制御部と、
前記画像出力制御部の出力する画像フレームシーケンスを表示する表示部と、
観察者の装着した３次元画像観察用眼鏡の左右の眼に対するシャッタの開閉制御信号を出力する制御信号出力部を有し、
前記制御信号出力部は、
前記表示部に対する付加情報画像フレームの表示タイミングにおいて左右両眼に対するシャッタを閉状態に設定する制御信号を出力する構成であり、
前記画像観察用眼鏡は３次元画像観察用眼鏡であり、
前記画像表示装置からの制御信号を受信する制御信号受信部と、
前記制御信号受信部の受信した制御信号に応じて３次元画像観察用眼鏡の左右の眼に対するシャッタの開閉処理を実行するシャッタ制御部と、
前記シャッタ制御部の制御によって開閉動作を行う前記３次元画像観察用眼鏡の左右の眼に対するシャッタを有し、
前記シャッタ制御部は、
前記制御信号に応じて、前記３次元画像観察用眼鏡の左右の眼に対応するシャッタのいずれか一方のみを開とする処理、または左右両眼に対応するシャッタを閉とする処理を実行する構成である画像表示システム。
【請求項１３】
画像表示装置において実行する画像表示制御方法であり、
画像出力制御部が、左眼用画像フレームと右眼用画像フレームの間に付加情報を含む付加情報画像フレームを追加した画像フレームシーケンスを生成または入力して表示部に出力する画像出力制御ステップと、
表示部が、前記画像出力制御部の出力する画像フレームシーケンスを表示する表示ステップと、
制御信号出力部が、観察者の装着した３次元画像観察用眼鏡の左右の眼に対するシャッタの開閉制御信号を出力する制御信号出力ステップを有し、
前記制御信号出力ステップは、
前記表示部に対する付加情報画像フレームの表示タイミングにおいて左右両眼に対するシャッタを閉状態に設定する制御信号を出力するステップを有する画像表示制御方法。
【請求項１４】
画像表示装置において画像表示制御を実行させるプログラムであり、
画像出力制御部に、左眼用画像フレームと右眼用画像フレームの間に付加情報を含む付加情報画像フレームを追加した画像フレームシーケンスを生成または入力して表示部に出力させる画像出力制御ステップと、
表示部に、前記画像出力制御部の出力する画像フレームシーケンスを表示させる表示ステップと、
制御信号出力部に、観察者の装着した３次元画像観察用眼鏡の左右の眼に対するシャッタの開閉制御信号を出力させる制御信号出力ステップを有し、
前記制御信号出力ステップは、
前記表示部に対する付加情報画像フレームの表示タイミングにおいて左右両眼に対するシャッタを閉状態に設定する制御信号を出力させるステップを有するプログラム。
【発明の詳細な説明】
【技術分野】
【０００１】
本発明は、画像表示装置、画像観察用眼鏡、および画像表示制御方法、並びにプログラムに関する。さらに詳細には、例えば３次元（３Ｄ：３Ｄｉｍｅｎｓｉｏｎ）映像の表示、観察を行う画像表示装置、画像観察用眼鏡、および画像表示制御方法、並びにプログラムに関する。
【背景技術】
【０００２】
近年、映画館などのスクリーンやＴＶのディスプレイなどの表示画像を３次元映像、すなわち、３Ｄ（３−Ｄｉｍｅｎｓｉｏｎ）映像として表示、鑑賞するための様々な技術が開発されている。
【０００３】
また、通常の２次元映像（２Ｄ）から擬似的な立体映像（３Ｄ）を生成する２Ｄ／３Ｄ変換技術の開発も進んでいる。この２Ｄ／３Ｄ変換技術については、例えば特許文献１（特開２００６−１８６５１０号公報）などに記載されている。このように３Ｄ映像を鑑賞する環境はリビング向けにも整いつつある。
【０００４】
３Ｄ映像を表示し、それを鑑賞するためのシステムの代表的な方式には、偏光方式（パッシブ・ステレオ方式）と、時分割方式（アクティブ・ステレオ方式）がある。
偏光方式（パッシブ・ステレオ方式）とは、偏光フィルタを用いて、特定の方向に振動する光のみを通過させて左右の眼用の画像を分離して左眼用と右眼用の画像を観察者の左右の眼に観察させる方式である。
【０００５】
画像表示装置の表示画像を構成する出力光が観察者の眼へ到達するまでに、光は偏光フィルタを介して左眼用と右眼用に分離される。例えば、観察者は偏光眼鏡を装着することにより、左眼用の画像光を右眼に入力せず左眼のみに入力し、右眼用の画像光を左眼に入力せず右眼のみに入力するようにする。このようにして、左眼用と右眼用の画像の各々を観察者の左右の眼に入力させて立体視を実現する方式である。
【０００６】
一方、時分割方式（アクティブ・ステレオ方式）は、画像表示装置のフレーム切り替えタイミングに同期したシャッタ式眼鏡を用いて、左右の画像の分離を実現する方式である。
【０００７】
画像表示装置は左右の眼用の画像をフレーム毎に切り替えて表示し、観察者が装着したシャッタ式眼鏡は左眼用画像を表示している時は右眼を隠し、右眼用画像を表示している時は左眼を隠すという仕組みである。
【０００８】
これらの方式は、いずれも立体視用の特殊な眼鏡を装着して画像を観察する。画像表示装置に表示する左右の眼に対応した各画像をユーザの装着した特殊な眼鏡を介して左右の眼の各々によって観察させて立体視を実現するものである。
【０００９】
しかし、これらパッシブ・ステレオ方式とアクティブ・ステレオ方式には以下のような問題がある。
パッシブ・ステレオ方式の問題は、画像表示装置に何らかの偏光の仕組みを持たなければならない点である。例えば、放送コンテンツを３Ｄ表示するテレビ装置は、走査線ごとに異なる偏光層を設定したディスプレイが利用されている。このような偏光層の設定は、普段見る２Ｄ映像の画質に悪影響を及ぼす可能性がある。
またこの場合、走査線ごとに左右の眼用の異なる画像を表示することが必要であり、結果として、ディスプレイの持つ縦方向の解像度の半分の解像度の画像しか提供できないという問題がある。
【００１０】
また、映画館などのシアター環境におけるスクリーン表示画像にパッシブ・ステレオ方式を採用するには偏光性を維持するため、指向性の高い特殊加工を行ったシルバースクリーンなどを用いる必要があり、コストアップにつながるという問題がある。
【００１１】
一方、アクティブ・ステレオ方式の問題として以下の問題がある。
アクティブ・ステレオ方式では、画像表示装置において左右の各眼用の画像をフレーム毎に切り替えて表示することが必要となる。しかしこのような表示を行う場合、画像表示装置のリフレッシュレートが低いとフリッカ現象（画面のちらつき）を発生させる。フリッカが発生した状態で、長時間の鑑賞を行うと目や脳の疲れが激しく感じるという問題がある。
【先行技術文献】
【特許文献】
【００１２】
【特許文献１】特開２００６−１８６５１０号公報
【発明の概要】
【発明が解決しようとする課題】
【００１３】
前述したように、近年３Ｄ映像の表示システムについての開発が進み、映画館などのシアターや自宅のリビングなど、３Ｄ表示システムの利用は急速に広がっている。
しかし、例えば、テレビで時分割方式（アクティブ・ステレオ方式）に従った放送コンテンツを提供する場合、ユーザに３Ｄ画像観察用の眼鏡の装着を促すことが要求される。例えば、３Ｄ映像コンテンツの開始時点において、視聴者に対して３Ｄ映像コンテンツの放送が開始されることを通知するなどの処理が必要である。
【００１４】
しかし、３Ｄ映像コンテンツの放送が開始された後に、テレビのスイッチを入れた場合など、視聴者はテレビに表示されている映像が３Ｄ映像であるか否かを判別することが困難である。現在放送されているコンテンツが３Ｄ映像であることを例えばテロップなどで随時、表示することも可能であるが、すでに眼鏡を装着している視聴者にとってはこのようなテロップ表示は邪魔に感ずる。
【００１５】
本発明は、例えば、このような状況に鑑みてなされたものであり、時分割方式（アクティブ・ステレオ方式）の３Ｄ画像表示システムにおいて、画像表示装置に表示するメッセージや映像などの付加情報を、
３Ｄ画像観察用眼鏡を装着した観察者には、見せずに正規の３Ｄコンテンツを鑑賞可能とする。
３Ｄ画像観察用眼鏡を装着していない観察者には付加情報、例えば眼鏡装着を促すメッセージを視認可能とする。
このような情報提示を実現する画像表示装置、画像観察用眼鏡、および画像表示制御方法、並びにプログラムを提供するものである。
【課題を解決するための手段】
【００１６】
本発明の第１の側面は、
左眼用画像フレームと右眼用画像フレームの間に付加情報を含む付加情報画像フレームを追加した画像フレームシーケンスを生成または入力して表示部に出力する画像出力制御部と、
前記画像出力制御部の出力する画像フレームシーケンスを表示する表示部と、
観察者の装着した３次元画像観察用眼鏡の左右の眼に対するシャッタの開閉制御信号を出力する制御信号出力部を有し、
前記制御信号出力部は、
前記表示部に対する付加情報画像フレームの表示タイミングにおいて左右両眼に対するシャッタを閉状態に設定する制御信号を出力する画像表示装置にある。
【００１７】
さらに、本発明の画像表示装置の一実施態様において、前記制御信号出力部は、前記表示部に対する左眼用画像フレームの表示タイミングにおいて左眼に対するシャッタのみを開状態に設定する制御信号を出力し、前記表示部に対する右眼用画像フレームの表示タイミングにおいて右眼に対するシャッタのみを開状態に設定する制御信号を出力する。
【００１８】
さらに、本発明の画像表示装置の一実施態様において、前記制御信号出力部は、前記表示部に対する付加情報画像フレームの表示開始時間に先行して左右両眼に対するシャッタを閉状態に設定する制御信号を出力し、前記表示部に対する付加情報画像フレームの表示終了時間に先行して左右いずれか一方の眼に対するシャッタのみを閉状態に設定する制御信号を出力する。
【００１９】
さらに、本発明の画像表示装置の一実施態様において、前記制御信号出力部は、前記表示部に対する付加情報画像フレームから次の表示フレームの表示遷移期間の終了時に左右いずれか一方の眼のみに対するシャッタを閉状態に設定する制御信号を出力する。
【００２０】
さらに、本発明の画像表示装置の一実施態様において、前記画像出力制御部は、同一の画像からなる複数の左眼用画像フレームの表示期間と、同一の画像からなる複数の右眼用画像フレームの表示期間を、前記付加情報画像フレームの表示期間より長く設定した画像フレームシーケンスを生成または入力して表示部に出力する。
【００２１】
さらに、本発明の画像表示装置の一実施態様において、前記付加情報画像フレームは、左眼用画像フレームまたは右眼用画像フレームの構成画像に付加情報を追加した多重情報画像フレームであり、前記制御信号出力部は、前記多重情報画像フレームの付加情報設定位置に応じて、付加情報が前記３次元画像観察用眼鏡を介して観察者の左右の眼のいずれにも入力しないように制御信号の出力タイミングを制御する。
【００２２】
さらに、本発明の画像表示装置の一実施態様において、前記付加情報画像フレームは、３次元画像観察用眼鏡の装着を促すメッセージを含む画像フレームである。
【００２３】
さらに、本発明の画像表示装置の一実施態様において、前記付加情報画像フレームは、左眼用画像フレームまたは右眼用画像フレームの反転画像フレームである。
【００２４】
さらに、本発明の画像表示装置の一実施態様において、前記付加情報画像フレームは、左眼用画像フレームまたは右眼用画像フレームに対する外乱情報を含む画像フレームである。
【００２５】
さらに、本発明の画像表示装置の一実施態様において、左眼用画像フレームと右眼用画像フレームは、２次元画像を持つ画像フレームであり、前記制御信号出力部は、前記表示部に対する左眼用画像フレームまたは右眼用画像フレームの表示タイミングにおいて左右両眼に対するシャッタを開状態に設定する制御信号を出力する。
【００２６】
さらに、本発明の第２の側面は、
画像表示装置からの制御信号を受信する制御信号受信部と、
前記制御信号受信部の受信した制御信号に応じて３次元画像観察用眼鏡の左右の眼に対するシャッタの開閉処理を実行するシャッタ制御部と、
前記シャッタ制御部の制御によって開閉動作を行う前記３次元画像観察用眼鏡の左右の眼に対するシャッタを有し、
前記制御信号受信部の受信する制御信号は、前記３次元画像観察用眼鏡の左右の眼に対応するシャッタのいずれか一方のみを開とする制御信号と、左右両眼に対応するシャッタを閉とする制御信号が含まれ、
前記シャッタ制御部は、
前記制御信号に応じて、前記３次元画像観察用眼鏡の左右の眼に対応するシャッタのいずれか一方のみを開とする処理、または左右両眼に対応するシャッタを閉とする処理を実行する画像観察用眼鏡にある。
【００２７】
さらに、本発明の第３の側面は、
画像表示装置と画像観察用眼鏡を有する画像表示システムであり、
前記画像表示装置は、
左眼用画像フレームと右眼用画像フレームの間に付加情報を含む付加情報画像フレームを追加した画像フレームシーケンスを生成または入力して表示部に出力する画像出力制御部と、
前記画像出力制御部の出力する画像フレームシーケンスを表示する表示部と、
観察者の装着した３次元画像観察用眼鏡の左右の眼に対するシャッタの開閉制御信号を出力する制御信号出力部を有し、
前記制御信号出力部は、
前記表示部に対する付加情報画像フレームの表示タイミングにおいて左右両眼に対するシャッタを閉状態に設定する制御信号を出力する構成であり、
前記画像観察用眼鏡は３次元画像観察用眼鏡であり、
前記画像表示装置からの制御信号を受信する制御信号受信部と、
前記制御信号受信部の受信した制御信号に応じて３次元画像観察用眼鏡の左右の眼に対するシャッタの開閉処理を実行するシャッタ制御部と、
前記シャッタ制御部の制御によって開閉動作を行う前記３次元画像観察用眼鏡の左右の眼に対するシャッタを有し、
前記シャッタ制御部は、
前記制御信号に応じて、前記３次元画像観察用眼鏡の左右の眼に対応するシャッタのいずれか一方のみを開とする処理、または左右両眼に対応するシャッタを閉とする処理を実行する構成である画像表示システムにある。
【００２８】
さらに、本発明の第４の側面は、
画像表示装置において実行する画像表示制御方法であり、
画像出力制御部が、左眼用画像フレームと右眼用画像フレームの間に付加情報を含む付加情報画像フレームを追加した画像フレームシーケンスを生成または入力して表示部に出力する画像出力制御ステップと、
表示部が、前記画像出力制御部の出力する画像フレームシーケンスを表示する表示ステップと、
制御信号出力部が、観察者の装着した３次元画像観察用眼鏡の左右の眼に対するシャッタの開閉制御信号を出力する制御信号出力ステップを有し、
前記制御信号出力ステップは、
前記表示部に対する付加情報画像フレームの表示タイミングにおいて左右両眼に対するシャッタを閉状態に設定する制御信号を出力するステップを有する画像表示制御方法にある。
【００２９】
さらに、本発明の第５の側面は、
画像表示装置において画像表示制御を実行させるプログラムであり、
画像出力制御部に、左眼用画像フレームと右眼用画像フレームの間に付加情報を含む付加情報画像フレームを追加した画像フレームシーケンスを生成または入力して表示部に出力させる画像出力制御ステップと、
表示部に、前記画像出力制御部の出力する画像フレームシーケンスを表示させる表示ステップと、
制御信号出力部に、観察者の装着した３次元画像観察用眼鏡の左右の眼に対するシャッタの開閉制御信号を出力させる制御信号出力ステップを有し、
前記制御信号出力ステップは、
前記表示部に対する付加情報画像フレームの表示タイミングにおいて左右両眼に対するシャッタを閉状態に設定する制御信号を出力させるステップを有するプログラムにある。
【００３０】
なお、本発明のプログラムは、例えば、様々なプログラム・コードを実行可能な画像処理装置やコンピュータ・システムに対して、コンピュータ可読な形式で提供する記憶媒体、通信媒体によって提供可能なプログラムである。このようなプログラムをコンピュータ可読な形式で提供することにより、画像処理装置やコンピュータ・システム上でプログラムに応じた処理が実現される。
【００３１】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３２】
本発明の一実施例によれば、画像表示装置が左眼用画像フレームと右眼用画像フレームの間に付加情報を含む付加情報画像フレームを追加した画像フレームシーケンスを表示部に表示し、表示部に対する付加情報画像フレームの表示タイミングにおいて、観察者の装着した３次元画像観察用眼鏡の左右両眼に対するシャッタを閉状態に設定する制御信号を出力する。本構成により、３次元画像観察用眼鏡を装着した観察者は正常な３次元画像を観察でき、眼鏡非装着者は、例えば眼鏡装着を促すメッセージなどの付加情報を観察することができる。
【図面の簡単な説明】
【００３３】
【図１】本発明の一実施例において３Ｄ画像観察用眼鏡を装着した観察者と非装着観察者が知覚するイメージの例について説明する図である。
【図２】本発明の一実施例における画像表示シーケンスについて説明する図である。
【図３】本発明の一実施例における画像表示シーケンスと眼鏡のシャッタ制御シーケンスについて説明する図である。
【図４】本発明の一実施例における画像表示シーケンスと眼鏡のシャッタ制御シーケンスについて説明する図である。
【図５】本発明の一実施例における画像表示シーケンスと眼鏡のシャッタ制御シーケンスについて説明する図である。
【図６】本発明の一実施例における画像表示シーケンスと眼鏡のシャッタ制御シーケンスについて説明する図である。
【図７】本発明の一実施例において３Ｄ画像観察用眼鏡を装着した観察者と非装着観察者が知覚するイメージの例について説明する図である。
【図８】本発明の一実施例における画像表示シーケンスについて説明する図である。
【図９】本発明の一実施例における画像表示シーケンスと眼鏡のシャッタ制御シーケンスについて説明する図である。
【図１０】本発明の一実施例における画像表示シーケンスと眼鏡のシャッタ制御シーケンスについて説明する図である。
【図１１】本発明の一実施例における画像表示シーケンスと眼鏡のシャッタ制御シーケンスについて説明する図である。
【図１２】本発明の一実施例における画像表示シーケンスと眼鏡のシャッタ制御シーケンスについて説明する図である。
【図１３】本発明の一実施例における画像表示シーケンスと眼鏡のシャッタ制御シーケンスについて説明する図である。
【図１４】本発明の一実施例における画像表示シーケンスと眼鏡のシャッタ制御シーケンスについて説明する図である。
【図１５】本発明の一実施例における画像表示シーケンスと眼鏡のシャッタ制御シーケンスについて説明する図である。
【図１６】本発明の一実施例に係る画像表示装置と３Ｄ画像観察用眼鏡の構成例について説明する図である。
【図１７】本発明の一実施例に係る画像表示装置の構成例について説明する図である。
【図１８】本発明の一実施例に係る３Ｄ画像観察用眼鏡の構成例について説明する図である。
【図１９】画像表示装置から３Ｄ画像観察用眼鏡に出力する制御信号の例について説明する図である。
【図２０】本発明の一実施例に係る画像表示装置と３Ｄ画像観察用眼鏡の処理シーケンスについて説明する図である。
【図２１】本発明の一実施例に係る画像表示装置と３Ｄ画像観察用眼鏡の構成例について説明する図である。
【図２２】本発明の一実施例に係る画像表示装置と３Ｄ画像観察用眼鏡の構成例について説明する図である。
【図２３】本発明の一実施例において３Ｄ画像観察用眼鏡を装着した観察者と非装着観察者が知覚するイメージの例について説明する図である。
【発明を実施するための形態】
【００３４】
以下、図面を参照しながら本発明の画像表示装置、画像観察用眼鏡、および画像表示制御方法、並びにプログラムの詳細について説明する。説明は、以下の項目に従って行う。
１．本発明の画像表示装置の実行する処理の概要についての説明
２．３Ｄ画像観察用眼鏡の装着メッセージなどの付加情報を眼鏡非装着者に提示する実施例（第１実施例）
３．３Ｄ画像観察用のシャッタ式眼鏡装着者にのみ快適な３Ｄ画像を提示可能とした実施例（第２実施例）
４，画像表示装置における画像フレームの表示期間を考慮した実施例（第３実施例）
５．本発明の画像表示装置と３Ｄ画像観察用眼鏡の構成例について
６．２次元画像情報に対応する処理例（第４実施例）
【００３５】
［１．本発明の画像表示装置の実行する処理の概要についての説明］
まず、本発明の画像表示装置の実行する処理の概要について説明する。本発明は、例えば時分割方式（アクティブ・ステレオ方式）の３Ｄ画像表示システムにおいて、表示装置に３Ｄ画像を表示するとともに、３Ｄ画像観察用のシャッタ式眼鏡の非装着者に対してメッセージなどの付加情報を提示することを可能としたものである。
すなわち、
３Ｄ画像観察用のシャッタ式眼鏡を装着した観察者は"見なくて済む"、
シャッタ式眼鏡を装着していない観察者は"見える"
このような付加情報の提示を実現する。
【００３６】
具体的な複数の利用例について簡単に説明する。
（第１利用例）
第１利用例（第１ユースケース）は、上記の付加情報を３Ｄ画像観察用のシャッタ式眼鏡の装着を促すメッセージとする利用例である。
すなわち、３Ｄ画像観察用のシャッタ式眼鏡を装着した視聴者は、眼鏡の装着を促すメッセージを観察することなく３Ｄ映像のみを観察することができる。一方、３Ｄ画像観察用のシャッタ式眼鏡を装着していない観察者は、３Ｄ画像観察用の眼鏡を装着することを促すメッセージを確認することが可能となる。
【００３７】
（第２利用例）
第２利用例（第２ユースケース）は、上記の付加情報を、見えると不快な情報や、見えない方が主となるコンテンツ映像を快適に鑑賞できるような情報とした利用例である。
３Ｄ画像観察用のシャッタ式眼鏡を装着した観察者は、不快な情報や見えない方が快適に鑑賞できるような情報を観察することなく３Ｄ画像を観察することができる。
一方、３Ｄ画像観察用のシャッタ式眼鏡を装着していない観察者は、例えば画面一面をグレー一色としたグレー画像や、ゆがみ画像やモザイク画像など、正規の３Ｄ画像の構成情報とは異なる不快な情報などが観察される。
【００３８】
例えば、これまで有料放送事業者などは、コンテンツを購入していない視聴者に対して、画像が極端にゆがんだり、モザイクがかかったりした画面を提示することや、画面中に強制的に広告を入れたりすることで、正規のコンテンツ購入視聴者と非正規視聴者との間で、サービスの差異化を図る処理を行っている。
【００３９】
上記のように、付加情報をゆがみ画像やモザイク画像、あるいは広告画像として設定することで、シャッタ式眼鏡を装着していない観察者（コンテンツを購入していない非正規視聴者）はこれを知覚し、シャッタ式眼鏡を装着した観察者（コンテンツを購入した正規視聴者）はこれを知覚せず３Ｄ画像を観察可能となるといった構成を実現する。
【００４０】
以下、上記の２つの利用例について順次、説明する。なお、以下では、まず、上記２つの利用例において観察者に提示される画像の例と制御シーケンスについて説明する。画像表示装置および３Ｄ画像観察用眼鏡の構成についてはその後の項目において説明する。
【００４１】
［２．３Ｄ画像観察用眼鏡の装着メッセージなどの付加情報を眼鏡非装着者に提示する実施例（第１実施例）］
まず、本発明の第１実施例として、上述した第１利用例（第１ユースケース）について説明する。第１実施例は、付加情報を３Ｄ画像観察用の眼鏡の装着を促すメッセージとした実施例である。
【００４２】
なお、本発明は、時分割方式（アクティブ・ステレオ方式）の３Ｄ画像表示システムを利用したものであり、３Ｄ画像観察用の眼鏡は左右の眼に対応する眼鏡部分を交互に開閉する動作を行う眼鏡である。具体的には、例えば液晶シャッタ式眼鏡が利用される。
【００４３】
本実施例では、３Ｄ画像観察用の液晶シャッタ式眼鏡を装着した視聴者は眼鏡の装着を促すメッセージを観察することなく３Ｄ映像のみを観察することができる。一方、３Ｄ画像観察用の液晶シャッタ式眼鏡を装着していない観察者は、眼鏡を装着することを促すメッセージを確認することが可能となる。
【００４４】
図１を参照して、本実施例によって実現される２つの異なる知覚イメージの例について説明する。図１には、以下の２つの知覚イメージを示している。
（ａ）３Ｄ画像観察用眼鏡非装着観察者の知覚イメージ
（ｂ）３Ｄ画像観察用眼鏡装着観察者の知覚イメージ
これらの知覚イメージは、同一の画像表示装置に表示されている同一の映像を観察していて、それぞれの観察者によって知覚されるイメージである。
【００４５】
図１（ａ）は、３Ｄ画像観察用眼鏡である液晶シャッタ眼鏡を装着せずに画像表示装置３０の表示面を観察する観察者１１による知覚イメージである。（ｂ）は、液晶シャッタ眼鏡２３を装着して画像表示装置３０の表示面を観察する観察者２１の知覚イメージである。
【００４６】
図１（ａ）に示す観察者１１は画像表示装置３０の表示面に表示される各オブジェクトを２次元的な多重像として知覚する。それに対し、図１（ｂ）に示す観察者２１は、画像表示装置３０の表示面に表示される各オブジェクトについて奥行きを持った立体的な像として知覚する。すなわち正常な３Ｄ画像を知覚することができる。
【００４７】
画像表示装置３０の表示画像は、時分割方式（アクティブ・ステレオ方式）の３Ｄ画像表示である。図１（ｂ）に示す３Ｄ画像観察用眼鏡である液晶シャッタ眼鏡２３を装着した観察者２１は、時分割表示フレームである左眼用の画像と右眼用の画像を液晶シャッタ眼鏡２３を介してそれぞれ各眼で観察することで立体間を持つイメージを知覚する。
【００４８】
これに対して、図１（ａ）に示す３Ｄ画像観察用眼鏡を装着しない観察者１１は、時分割表示フレームである左眼用の画像と右眼用の画像をすべて両眼で観察することになり、表示オブジェクトを２次元的かつ多重像として知覚する。
さらに、観察者１１の知覚イメージの下部領域には、「メガネをかけてご覧下さい」という付加情報３１である字幕が知覚されるが、観察者２１はこの付加情報３１である字幕を知覚しない。
【００４９】
双方の観察者１１，２１に対して利用される画像表示装置３０および表示コンテンツは同じものであり、観察者１１が知覚するイメージ、および、観察者２１が知覚するイメージの違いは、観察者２１が液晶シャッタ眼鏡を装着していることにのみ起因するものである。画像表示装置３０に表示されるコンテンツのフレーム構成について、図２を参照して説明する。
【００５０】
図２は、図１のように３Ｄ画像観察用眼鏡の装着観察者と非装着観察者に異なるイメージを知覚させるため、画像表示装置３０に表示させる各フレーム画像のシーケンス例を示している。
図２は、フレームｆ０１〜ｆ０４が順に表示され、フレームｆ０４の表示後、再度フレームｆ０１に戻り、フレームｆ０１〜ｆ０４を繰り返し表示することを示している。
【００５１】
なお、フレームｆ０１〜ｆ０４の各々は、画像表示装置に表示される１つのフレームに対応する設定でもよいし、フレームｆ０１〜ｆ０４の各々が画像表示装置に表示される複数（ｎ）フレームに対応する設定でもよい。図２に示すフレームｆ０１〜ｆ０４の画像が所定の時間間隔で表示されることを意味している。以下の説明におけるフレームも同様である。
【００５２】
なお、図２において表示フレームｆ０１，ｆ０３に示す表示オブジェクトは実線と点線の組み合わせで示しているが、実線は表示データ、点線は非表示データである。表示フレームｆ０１，ｆ０３の各々は左眼用画像と右眼用画像であり、同一オブジェクトについて、それぞれの視点の画像を表示することを示している。
【００５３】
図２で示すようなフレームｆ０１〜ｆ０４を高速に切り替えて画像表示装置３０に表示する。これを図１（ａ）に示す観察者１１のように液晶シャッタ眼鏡を用いずに観察する場合、時間方向の視覚の積分効果により数フレーム分の画像が加算された映像が知覚される。この結果、図１（ａ）に示す知覚イメージが観察者１１によつて知覚される。なお、光の時間方向の積分効果に関する視覚原理はブロックの法則（Ｂｌｏｃｈ'ｓ  ｌａｗ）として知られている現象である。ブロックの法則については、例えば特開２００５−１７５８４１などに説明が記載されている。
【００５４】
一方、図２に示すフレームｆ０１〜ｆ０４を、図１（ｂ）に示す観察者２１のように液晶シャッタ眼鏡を装着して観察すると、図１中の観察者２１が知覚するイメージは図１（ｂ）に示すような立体オブジェクトの画像となる。しかし、このような知覚イメージを得るためには、表示画像と液晶シャッタのタイミングの同期が必要となる。
【００５５】
図３を参照して、表示画像の切り替えと液晶シャッタの開閉タイミングの同期処理例について説明する。図３において横方向が時間軸に対応しており、左から右に時間が進むことを表している。
【００５６】
図３（ａ）は、画像表示装置に表示する表示画像フレーム（ｆ０１〜ｆ０４）の切り替えシーケンスを示している。
（ｂ）は液晶シャッタ眼鏡の左眼用の液晶シャッタの開閉のタイミングを示し、
（ｃ）は液晶シャッタ眼鏡の右眼用の液晶シャッタの開閉のタイミングを示している。
なお、左右両眼用の液晶シャッタは、理想的な開閉を想定しており、「開」状態から「閉」状態への切り替え時の開閉状態の遷移期間は０であるものとして示している。
【００５７】
図３に示すような液晶シャッタの開閉タイミング制御を行うことができれば、図１（ｂ）に示す液晶シャッタ眼鏡２３を装着した観察者２１の左眼にはフレームｆ０１の画像のみが入力され、右眼には常にフレームｆ０３の画像のみが入力されることになる。この結果、ステレオ視の原理から、図１の観察者２１が知覚するイメージは、図１（ｂ）に示すオブジェクトが立体的な像として観察できる知覚イメージとなる。
【００５８】
図３に示すフレームｆ０２とフレームｆ０４は、どのタイミングでも両眼に入力されないことから、字幕「メガネをかけてご覧下さい」は、観察者２１に知覚されない。
【００５９】
しかしながら、これまでに述べた知覚結果を生じるためには、考慮しなければならない問題が２つある。
１つ目は、画像のちらつき感を感ずるいわゆるフリッカ現象を知覚してしまうという問題である。各表示画像、および液晶シャッタの開状態と閉状態の維持期間が一定よりも長い場合、つまり、フレームの切り替えが一定よりも低速である場合、特に眼鏡を装着しない観察者１１は画像のちらつき感を感ずる。これがフリッカ現象をである。このフリッカ現象を低減させるためには表示フレームの切り替え、および、液晶シャッタの開閉の切り替えをある一定値よりも高速にする必要がある。
【００６０】
２つ目は、液晶シャッタ眼鏡の開閉状態切り替えに所定の時間を要し、本来遮断したい画面が見えてしまうという問題である。図３では液晶シャッタ眼鏡の開閉状態切り替えの遷移期間を０として理想的なものを想定しているが、実際には開閉状態の遷移期間が０にはならず、光透過量が中間的な状態を介して開状態または閉状態に辿り着く。
【００６１】
図４を参照して、この問題について説明する。図４は現実的な液晶シャッタ眼鏡を用いた場合の表示画像の切り替えと液晶シャッタの開閉のタイミングの同期について説明する図であり、液晶シャッタの開閉状態の遷移期間が存在することによって生じる問題の一例を示すものである。
【００６２】
図４も図３と同様、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【００６３】
（ｂ），（ｃ）の液晶シャッタの開閉タイミングの図の濃淡は、図４下部に示す通り、液晶シャッタを通過する光の透過量を輝度で表現したものであり、開から閉、または、閉から開への切り替え時には、透過量が中間的な状態が発生する。
【００６４】
図４に示す例において生じる問題とは、フレームｆ０２およびフレームｆ０４が表示されている期間中に、液晶シャッタによる光の遮断が完全ではないために起こるものである。液晶シャッタの切り替えに時間を要するため、結果的に液晶シャッタ眼鏡を装着した観察者２１でも、付加情報である字幕「メガネをかけてご覧下さい」の表示を知覚してしまうという問題が発生する。
【００６５】
さらに、液晶シャッタの切り替え時に発生する遷移期間の長さや表示画像の切り替え順によっては、立体視認のための左眼用画像（フレームｆ０１）が右眼に入力することや、反対に右眼用画像（フレームｆ０３）が左眼に入力するという、所謂クロストーク現象が生じ、立体感の低下などを引き起こすこともある。
【００６６】
このような液晶シャッタ眼鏡の開閉状態の切り替え時における開閉遷移期間の存在により生じる問題の解決策の一例について、図５を参照して説明する。
図５は、左右の両眼に一方に入力するための画像を表示している間に、液晶シャッタの開閉状態の切り替えの遷移期間を確実に終了させる例である。
図５も図３、図４と同様、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【００６７】
図５は、シャッタ開閉に所定の遷移期間が存在する現実的な液晶シャッタ眼鏡を用いた場合、良好な３Ｄ画像を観察可能とするための表示画像の切り替えと液晶シャッタ開閉のタイミング同期について説明する図である。前述の液晶シャッタの開閉状態の遷移期間が存在することによって生じる問題を考慮したものである。
【００６８】
図５では、液晶シャッタ眼鏡のシャッタを閉じる開始タイミングを画面切り替えタイミングより早めに設定し、また、閉から開への移行は画面切り替えタイミングより遅れて設定している。
【００６９】
このような制御を行うと、図５に示すように付加情報が含まれるフレームｆ０２およびフレームｆ０４が表示されている期間は、完全にシャッタ眼鏡の左右両眼のシャッタは閉じた状態となっている。また、左眼に入力することを意図したフレームｆ０１が表示されている期間にシャッタが開いているのは左眼のみ、右眼に入力することを意図したフレームｆ０３が表示されている期間にシャッタが開いているのは右眼のみとする処理が実現されている。
【００７０】
この図５に示すシャッタ開閉制御を採用することにより、付加情報である字幕「メガネをかけてご覧下さい」の表示が３Ｄ画像観察用眼鏡を装着している観察者に知覚されてしまう現象や、左右向けの画像が混在して知覚されてしまうクロストーク現象を防止することができる。
【００７１】
ただし、図５に示す構成では、左右両眼シャッタのいずれかが完全に開いている期間が短すぎることで、相当にディスプレイの表示輝度を上げなければ、眼鏡を装着した観察者が暗さを感じてしまう。また動画像を表示する場合、同様の理由でジャーキネス現象という動領域に不自然さを知覚してしまう恐れがある。
この問題を解決する処理例について図６を参照して説明する。
【００７２】
図６は、表示画像の工夫により前記の問題の解決を図る一例である。
図６も図３〜図５と同様、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【００７３】
図６も、図５と同様、液晶シャッタの開閉状態の遷移期間が存在することによって生じる問題を解決する手法を示している。
具体的には、図６に示すように、同一の左眼用画像を持つフレームｆ０１ａ、フレームｆ０１ｂを、２フレーム表示期間続けて表示し、その後１フレーム表示期間のみ「メガネをかけてご覧下さい」という付加情報を含むフレームｆ０２を表示する。さらに、その後、同一の右眼用画像を持つフレームｆ０３ａ、フレームｆ０３ｂを２フレーム表示期間続けて表示し、その後、付加情報を含むフレームｆ０４を１フレーム表示期間、表示するという処理を繰り返す。
【００７４】
図６に示す構成においても、図５に示す制御と同様、液晶シャッタ眼鏡のシャッタを閉じる開始タイミングを画面切り替えタイミングより早めに設定し、また、閉から開への移行は画面切り替えタイミングより遅れて設定している。従って、液晶シャッタ眼鏡を装着した観察者は、右眼では右眼用画像のみ、左眼では左眼用画像のみを観察することができる。
さらに、図６に示す処理では、３Ｄ画像観察用画像である右眼用画像と左眼用画像を複数（本例では２フレーム）連続して表示し、付加情報を持つフレームよりフレーム配分を多く設定した構成である。
【００７５】
先に説明した図５に示す構成では左右両眼シャッタのいずれかが完全に開いている期間が短すぎることで眼鏡を装着した観察者が暗さを感じてしまうという欠点がある。しかし、この図６に示す処理シーケンスは、３Ｄ画像を提示する右眼用画像と左眼用画像の表示期間が、字幕を含む付加情報の表示期間に比較して長くなり、３Ｄ画像の観察者が画像の暗さを感ずる度合いを低減することができる。また動画像を表示する場合にもジャーキネスの知覚を低減させることができる。
ただし、図６に示すシーケンスを行う場合でも、先述の通り、眼鏡を装着しない観察者１１がフリッカ現象を知覚しないためには、画像表示装置のより高速なフレーム切り替えが求められる。
【００７６】
［３．３Ｄ画像観察用のシャッタ式眼鏡装着者にのみ快適な３Ｄ画像を提示可能とした実施例（第２実施例）］
次に、本発明の第２実施例として、上述した第２利用例（第２ユースケース）について説明する。第２実施例は、付加情報を３Ｄ画像の正常な観察を妨げる情報とした例である。
【００７７】
本実施例においては、
３Ｄ画像観察用眼鏡を装着した観察者には、３Ｄ（立体）映像が知覚され、３Ｄ画像観察用眼鏡の非装着者には、３Ｄ画像の正常な観察を妨げる情報（付加情報）が観察される。以下では、具体例として、３Ｄ画像観察用眼鏡の非装着者には、一面グレーの画像が観察される例について説明する。
【００７８】
図７を参照して、本実施例によって実現される２つの異なる知覚イメージの例について説明する。図７には、以下の２つの知覚イメージを示している。
（ａ）３Ｄ画像観察用眼鏡非装着観察者の知覚イメージ
（ｂ）３Ｄ画像観察用眼鏡装着観察者の知覚イメージ
これらの知覚イメージは、同一の画像表示装置３０のディスプレイに表示されている同一の映像を観察していて、それぞれの観察者によって知覚されるイメージである。
【００７９】
図７（ａ）は、３Ｄ画像観察用眼鏡である液晶シャッタ眼鏡を装着せずに画像表示装置３０の表示面を観察する観察者４１による知覚イメージである。図７（ｂ）は、液晶シャッタ眼鏡５３を装着して画像表示装置３０の表示面を観察する観察者５１の知覚イメージである。
【００８０】
図７（ａ）に示す観察者４１は画像表示装置３０の表示面に表示される一面がグレーな像を知覚し、図７（ｂ）に示す観察者５１は、画像表示装置３０の表示面に表示される各オブジェクトについて奥行きを持った立体的な像として知覚する。すなわち正常な３Ｄ画像を知覚することができる。
【００８１】
画像表示装置３０の表示画像は、時分割方式（アクティブ・ステレオ方式）の３Ｄ画像表示である。図７（ｂ）に示す３Ｄ画像観察用眼鏡である液晶シャッタ眼鏡５３を装着した観察者５１は、時分割表示フレームである左眼用の画像と右眼用の画像を液晶シャッタ眼鏡５３を介してそれぞれ各眼で観察することで立体間を持つイメージを知覚する。
【００８２】
これに対して、図７（ａ）に示す３Ｄ画像観察用眼鏡を装着しない観察者４１は、時分割表示フレームである左眼用の画像と右眼用の画像をすべて両眼で観察する。さらに、左眼用画像と右眼用画像と異なる付加情報からなるフレーム画像についても観察することになる。結果として、これらすべての提示画像を両眼で観察することにより、図７（ａ）に示す一面グレーの画像が観察される。
【００８３】
双方の観察者４１，５１に対して利用される画像表示装置３０および表示コンテンツは同じものであり、観察者４１が知覚するイメージ、および、観察者５１が知覚するイメージの違いは、観察者５１が液晶シャッタ眼鏡を装着していることにのみ起因するものである。画像表示装置３０に表示されるコンテンツのフレーム構成について、図８を参照して説明する。
【００８４】
図８は、図７のように３Ｄ画像観察用眼鏡の装着観察者と非装着観察者に異なるイメージを知覚させるため、画像表示装置３０に表示させる各フレーム画像のシーケンス例を示している。
図８は、フレームｆ０１〜ｆ０４が順に表示され、フレームｆ０４の表示後、再度フレームｆ０１に戻り、フレームｆ０１〜ｆ０４を繰り返し表示することを示している。
【００８５】
なお、図８において表示フレームｆ０１，ｆ０３に示す表示オブジェクトは実線と点線の組み合わせで示しているが、実線は表示データ、点線は非表示データである。表示フレームｆ０１，ｆ０３の各々は左眼用画像と右眼用画像であり、同一オブジェクトについて、それぞれの視点の画像を表示することを示している。
【００８６】
また、図８において表示フレームｆ０２は、フレームｆ０１の反転画像からなるフレームである。また、表示フレームｆ０４は、フレームｆ０３の反転画像からなるフレームである。
【００８７】
反転画像とは、元画像の各画素値を最大画素値から引いた各画素値で構成された画像である。例えば、元画像がモノクロ８ビットとし、元画像の座標ｘ，ｙの画素における画素値をｐ（ｘ，ｙ）とすると、反転画像の座標ｘ，ｙにおける画素値ｐ'（ｘ，ｙ）は、ｐ'（ｘ，ｙ）＝２５５−ｐ（ｘ，ｙ）となる。２５５は画素値が８ビット表現の場合における最大画素値である。この反転画像の定義は、画像の信号フォーマットなどに限定されず適用可能である。
【００８８】
図８で示すような表示画像（フレームｆ０１〜ｆ０４）を高速に切り替えて繰り返し画像表示装置に表示する。これを図７に示す観察者４１のように液晶シャッタ眼鏡を用いずに観察する場合、時間方向の視覚の積分効果により数フレーム分の画像が足しあわされた映像が知覚される。結果として、図７（ａ）に示すように画面一面がグレーとなった画像が知覚される。
【００８９】
なお、厳密には、液晶シャッタ眼鏡を装着しない観察者４１が表示画像を固定視している場合には、図７（ａ）に示すように画面一面がグレーとなった画像が知覚される。眼球を動かして観察している場合は、少なくとも一面のグレーの塗潰し画像は知覚されない。しかし、フレームｆ０１，ｆ０３に示されるオブジェクトを認識するレベルとはならず、本実施例の目的である「表示コンテンツを見せない」効果を得るのには十分である。
【００９０】
なお、３Ｄ画像を提示するための元画像がモノクロ画像である場合は、上記の反転画像を利用することで図７（ａ）に示すように画面一面がグレーとなった画像が知覚される。３Ｄ画像を提示するための元画像がカラー画像である場合には、反転画像の代わりに、例えばランダムなカラー模様を設定した画像など、左眼用画像フレームまたは右眼用画像フレームに対する外乱情報を含む画像フレームを利用するなどの処理により、３Ｄ画像観察用眼鏡を装着しない観察者に明確な３Ｄコンテンツを見せないことが可能である。すなわち、挿入する特定画像からなるフレームは、３Ｄコンテンツを含む画像と異なる画像であれば、様々な画像の利用が可能である。
【００９１】
一方、図７に示す３Ｄ画像観察用眼鏡を装着した観察者５１は、図７（ｂ）に示すような立体オブジェクトの画像を知覚する。しかし、このような知覚イメージを得るためには、表示画像と液晶シャッタのタイミングの同期が必要となる。
【００９２】
図９を参照して、表示画像の切り替えと液晶シャッタの開閉タイミングの同期処理例について説明する。図９において横方向が時間軸に対応しており、左から右に時間が進むことを表している。
【００９３】
図９は、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
なお、左右両眼用の液晶シャッタは、理想的な開閉を想定しており、「開」状態から「閉」状態への切り替え時の開閉状態の遷移期間は０であるものとして示している。
【００９４】
図９に示すような液晶シャッタの開閉タイミングの制御を行うことができれば、図７（ｂ）に示す液晶シャッタ眼鏡５３を装着した観察者５１の左眼にはフレームｆ０１の画像のみが入力され、右眼には常にフレームｆ０３の画像のみが入力されることになる。この結果、ステレオ視の原理から、図７の観察者５１が知覚するイメージは、図７（ｂ）に示すオブジェクトが立体的な像として観察できる知覚イメージとなる。
【００９５】
図９に示す付加情報を持つフレームｆ０２とフレームｆ０４は、どのタイミングでも両眼に入力されないことから、字幕「メガネをかけてご覧下さい」は、観察者２１に知覚されない。これにより、図７（ｂ）に示す液晶シャッタ眼鏡５３を装着した観察者５１は、正常な３Ｄ画像が観察される。
【００９６】
なお、本実施例２においても、先に説明した実施例１と同様、考慮しなければならない問題がある。すなわち、
フリッカの発生、
シャッタ開閉状態切り替えにおける遷移期間、
これらの問題である。
【００９７】
フリッカは前述したように、フレームの切り替えが一定よりも低速であることに起因する。フリッカ現象を知覚してしまうという問題を引き起こさないために、表示フレームの切り替え、および、液晶シャッタの開閉の切り替えは、ある一定値よりも高速にする必要がある。なお、本実施例２の場合、フレームレートが一定よりも低速であれば、時間方向の積分効果が引き起こされず、フレームｆ０１〜ｆ０４が単に切り替わっていく画像が知覚されるだけで、一面グレーの画像と知覚されない。そのためにも、表示リフレッシュレートが高速であることが求められる。
【００９８】
さらに、液晶シャッタ眼鏡の開閉状態の切り替え遷移期間に、光の透過量が中間的な状態を介して開状態または閉状態に辿り着くことに起因する問題についても、前述の実施例１と同様に考慮しなくてはならない。
【００９９】
シャッタ眼鏡を装着している観察者に、両眼のどちらにも入力を意図していない画像、すなわち図９に示すフレームｆ０２，ｆ０４が知覚されたり、左眼への入力を意図した画像が右眼に入力、その反対に、右眼への入力を意図した画像が左眼に入力されるといった現象を回避することが必要である。
【０１００】
このような液晶シャッタ眼鏡の開閉状態の切り替え時における開閉遷移期間の存在により生じる問題の解決策の一例について、図１０を参照して説明する。
図１０は、左右の両眼に一方に入力するための画像を表示している間に、液晶シャッタの開閉状態の切り替えの遷移期間を確実に終了させる例である。
図１０も図９と同様、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【０１０１】
図１０は、シャッタ開閉に所定の遷移期間が存在する現実的な液晶シャッタ眼鏡を用いた場合の、表示画像の切り替えと液晶シャッタ開閉のタイミング同期について説明するものであり、液晶シャッタの開閉状態の遷移期間が存在することによって生じる問題を考慮したものである。図１０に示す例は、液晶シャッタ眼鏡のシャッタを閉じる開始タイミングを画面切り替えタイミングより早めに設定し、また、閉から開への移行は画面切り替えタイミングより遅れて設定した例である。
【０１０２】
このような制御を行うと、図１０に示すように反転画像からなる付加情報フレームｆ０２およびフレームｆ０４が表示されている期間は、完全にシャッタ眼鏡の左右両眼のシャッタは閉じた状態となっている。また、左眼に入力することを意図したフレームｆ０１が表示されている期間にシャッタが開いているのは左眼のみ、右眼に入力することを意図したフレームｆ０３が表示されている期間にシャッタが開いているのは右眼のみとする処理が実現されている。
【０１０３】
この図１０に示すシャッタ開閉制御を採用することにより、付加情報フレームである反転画像フレームｆ０２，ｆ０４の表示が３Ｄ画像観察用眼鏡を装着している観察者に知覚されてしまう現象や、左右向けの画像が混在して知覚されてしまうクロストーク現象を防止することができる。
【０１０４】
［４，画像表示装置における画像フレームの表示期間を考慮した実施例（第３実施例）］
前述した実施例１、実施例２では、画像表示装置におけるフレーム表示が瞬時に切り替わるものとして説明した。すなわち、フレーム表示切り替え期間について考慮していない。以下では、実施例３として、画像表示装置の１フレーム画像が画像表示装置の表示部左上端から右下端まで順次走査されて表示され、所定のフレーム表示切り替え期間（Ｔｆ）を考慮した実施例について説明する。
【０１０５】
図１１は、先の実施例１において説明した図３と同様の表示画像の切り替えと液晶シャッタの切り替えシーケンスを示す図である。左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【０１０６】
図１１には、フレーム表示切り替え期間（Ｔｆ）を示している。例えば、フレームｆ０１は、時間ｔａに画面の左上端から表示が開始され、時間ｔｂにおいて画面の右下端まですべての表示が終了する。すなわち、フレームｆ０１のフレーム表示開始からフレーム表示完成までのフレーム表示遷移期間がＴｆ＝ｔａ〜ｔｂであることを示している。次のフレームであるフレームｆ０２の表示遷移期間はＴｆ＝ｔｃ〜ｔｄである。フレームｆ０３の表示遷移期間はＴｆ＝ｔｅ〜ｔｆである。
【０１０７】
図１１（ｂ），（ｃ）には、先に図３を参照して説明したシャッタ制御シーケンスと同様のシーケンスを示している。図１１（ｂ），（ｃ）に示すシャッタ制御を実行した場合、例えばフレームｆ０２からフレームｆ０３のフレームの切り替え期間であるＴｆ＝ｔｅ〜ｔｆでは、３Ｄ画像観察用眼鏡の右シャッタが開状態にあるが、この期間Ｔｆ＝ｔｅ〜ｔｆでは、右目用画像であるｆ０３の表示が完了せず、メッセージを含む付加情報からなるフレームｆ０２が一部表示された状態となる。すなわち、メッセージを含むフレームｆ０２が３Ｄ画像観察用眼鏡を装着した観察者の右眼によって観察されてしまうことになる。同様の現象は、各フレームの表示切り替えタイミングで連続して発生することになる。
【０１０８】
図１２は、このような不具合を防止するためのシャッタ切り替え制御シーケンスを示す図である。図１２に示す例は、各フレームの表示遷移期間（Ｔｆ）の間、３Ｄ画像観察用眼鏡のシャッタを全て閉じる設定とした例である。このような制御を実行することで、各フレームの表示遷移期間（Ｔｆ）の間の画像は、３Ｄ画像観察用眼鏡を装着した観察者は全く観察しないことになる。結果として、３Ｄ画像観察用眼鏡を装着した観察者はメッセージを含む付加情報からなるフレームｆ０２，ｆ０４を観察することなく、３Ｄ画像対応のフレームｆ０１，ｆ０３のみをそれぞれの眼で観察し３Ｄ画像のみを知覚することができる。
【０１０９】
図１３は、先の実施例２に対応するフレーム表示遷移期間（Ｔｆ）を考慮した制御シーケンスである。図１２と同様、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【０１１０】
フレームｆ０１は左眼用画像、フレームｆ０２は左眼用画像ｆ０１の反転画像、フレームｆ０３は右眼用画像、フレームｆ０４は右眼用画像ｆ０３の反転画像である。図１３も図１２と同様、各フレームの表示遷移期間（Ｔｆ）の間、３Ｄ画像観察用眼鏡のシャッタを全て閉じる設定としている。このような制御を実行することで、各フレームの表示遷移期間（Ｔｆ）の間の画像は、３Ｄ画像観察用眼鏡を装着した観察者は全く観察しないことになる。結果として、３Ｄ画像観察用眼鏡を装着した観察者は反転画像フレームｆ０２，ｆ０４を観察することなく、３Ｄ画像対応のフレームｆ０１，ｆ０３のみをそれぞれの眼で観察し３Ｄ画像のみを知覚することができる。
【０１１１】
しかし、図１２、図１３に示す制御シーケンスとした場合、３Ｄ画像観察用眼鏡を装着した観察者の入射光量は減少してしまう。すなわち、左右両眼シャッタのいずれかが完全に開いている期間が短すぎることで、相当にディスプレイの表示輝度を上げなければ、眼鏡を装着した観察者が暗さを感じてしまう。この問題を解決する処理例について図１４を参照して説明する。
【０１１２】
図１４も図１２と同様、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【０１１３】
図１４の制御シーケンスは、同一の左眼用画像を持つフレームｆ０１ａ、フレームｆ０１ｂを、２フレーム表示期間続けて表示し、その後１フレーム表示期間のみ「メガネをかけてご覧下さい」という付加情報を含むフレームｆ０２を表示する。さらに、その後、同一の右眼用画像を持つフレームｆ０３ａ、フレームｆ０３ｂを２フレーム表示期間続けて表示し、その後、付加情報を含むフレームｆ０４を１フレーム表示期間、表示するという処理を繰り返す。
【０１１４】
３Ｄ画像観察用眼鏡のシャッタ制御は、図１４（ｂ），（ｃ）に示すように、フレーム画像の切り替え時（ｆ０１からｆ０２、ｆ０２からｆ０３など）には、いずれのシャッタも閉じた状態とする。この処理は、図１２を参照して説明したシャッタ制御シーケンスと同様である。しかし、図１４に示す制御シーケンスでは、同一画像のフレームの表示期間、例えばフレームｆ０１ａ，ｆ０１ｂ、フレームｆ０３ａ，ｆ０３ｂなどの期間、いずれかのシャッタが開放されている。従って、先の図１２に示す例より長期間画像の観察が可能となり、その分入射光が増大することになる。結果として、輝度低下を感ずることなく３Ｄ画像を観察することが可能となる。
【０１１５】
図１５は、付加情報としてのメッセージの表示領域が画面下部にあることを利用して、付加情報としてのメッセージを３Ｄ画像観察用眼鏡装着者には観察させず、かつ輝度低下も防止した画面切り替えおよびシャッタ制御シーケンスを示す図である。図１５に示すフレームｆ０２，ｆ０４は左眼用画像フレームまたは右眼用画像フレームの構成画像に付加情報を追加した多重情報画像フレームとして構成されている。
【０１１６】
図１５においても、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
これらを示している。
【０１１７】
また、図１５に示す例において、
フレームｆ０１＝左眼用画像、
フレームｆ０２＝左眼用画像に付加情報（メッセージ）を加算した多重情報画像、
フレームｆ０３＝右眼用画像、
フレームｆ０４＝右眼用画像に付加情報（メッセージ）を加算した多重情報画像、
これらの画像フレームである。
【０１１８】
３Ｄ画像観察用眼鏡のシャッタ制御は、図１５（ｂ），（ｃ）に示すように設定する。例えば、フレームｆ０１からフレームｆ０２の切り替え時に、左眼用シャッタの閉じるタイミングを遅らせる。図１２を参照して説明した例では、フレームｆ０２の表示開始時点で左眼用シャッタを閉じていたが、図１５に示す例では、左眼用シャッタを閉じる時間をフレームｆ０２の表示開始時点（ｔｐ）ではなく、フレームｆ０２の表示開始後一定時間［Ｔｆｓ］経過した時間ｔｑとした。
【０１１９】
このＴｆｓ＝ｔｐ〜ｔｑの期間、左眼用シャッタは開放状態にある。しかし、このｔｐ〜ｔｑの期間に表示されるフレームｆ０２は、図１５（ａ）に示すフレームｆ０２のｘｙラインの上半分のみである。下半分はフレーム切り替えが完了しておらず、フレームｆ０１の下半分の表示が残存した状態にある。すなわちフレームｆ０２の下側にあるメッセージは表示されていない状態である。
【０１２０】
従って３Ｄ画像観察用画像を装着した観察者の左眼にはフレームｆ０１と同じ左眼用画像が、図１５の時間軸に示すｔｂ〜ｔｑの期間に渡って観察されることになる。このような制御を行うことで、輝度低下を防止し、かつ付加情報（メッセージ）を観察させない設定とすることができる。なお、右眼用画像のフレームｆ０３から、フレームｆ０４の切り替え時にも右眼用シャッタの開放期間を延長し、輝度低下を防ぐ処理を行う。
【０１２１】
なお、図１５に示す例は、付加情報としてのメッセージを画面の下部に設定した例であり、この場合は、シャッタ開放状態を後続フレーム側に延長して輝度低下を防止する。例えば付加情報としてのメッセージを画面上部に設定した場合には、シャッタ開放状態をフレーム切り替えの開始側に延長する設定とすれば、同様に輝度低下を防いだ処理が可能である。
【０１２２】
［５．本発明の画像表示装置と３Ｄ画像観察用眼鏡の構成例について］
次に、図１６以下を参照して画像表示装置と３Ｄ画像観察用眼鏡の構成例について説明する。
【０１２３】
図１６は、本発明の画像表示装置および３Ｄ画像観察用眼鏡の全体構成を示す図である。画像表示装置１００には、前述の実施例１〜３において説明したフレームｆ０１〜ｆ０４を構成する画像が表示される。画像表示装置１００は、制御信号出力部１２０を備えている。制御信号出力部１２０は、例えば、画像表示装置１００の表示画像（フレーム）切り替えタイミング等の同期信号に応じて観察者２５０の装着した３Ｄ画像観察用眼鏡２１０にシャッタの開閉制御信号を出力する。
【０１２４】
なお、シャッタの開閉制御信号の出力は、先に説明した実施例１〜３の様々な例に応じた様々な態様で実行されることになる。制御信号は、有線、無線いずれを利用して送信してもよい。例えば無線信号の場合は赤外光信号が利用可能である。
【０１２５】
画像表示装置１００の表示画像の観察者としては、３Ｄ画像観察用眼鏡２１０を３Ｄ装着した観察者２５０と、装着していない観察者２８０がいるものと想定する。観察者２５０の装着した３Ｄ画像観察用眼鏡２１０は、眼鏡制御部２１１を有する。眼鏡制御部２１１は、制御信号出力部１２０の出力する制御信号を受信して、制御信号に応じて、３Ｄ画像観察用眼鏡２１０の左右のシャッタ（例えば液晶シャッタ）の開閉制御を実行する。開閉制御は、先に説明した実施例１〜３の様々な設定に応じて行なわれる。
【０１２６】
図１７は、画像表示装置１００の主要構成を示す図である。なお、図１７に示す例は、制御信号出力部１２０を画像表示装置１００に内蔵した構成例である。画像表示装置１００は、映像信号受信部１０１、付加情報（生成）出力部１０２、画像出力制御部１０３、表示部１０４、垂直同期信号検出部１０５、制御信号出力部１２０を有する。なお、図１７は画像表示装置１００の主要構成のみを示しており、画像表示装置１００は、この他、例えばプログラムやパラメータを格納するメモリや、プログラム実行部としてのＣＰＵを備えた制御部などを備えている。
【０１２７】
映像信号受信部１０１は、例えば放送波、インターネットなどのネットワーク、あるいはＤＶＤなどのメディアを介して３Ｄ画像から構成される映像信号を入力し、画像出力制御部１０３に出力する。なお、映像信号は、例えば時分割方式の左右の眼用の画像が交互に設定された画像である。
【０１２８】
付加情報（生成）出力部１０２は、例えば先の実施例１で説明した付加情報としてのメッセージ「メガネをかけてご覧ください」を含む画像、あるいは実施例２において説明した反転画像によって構成される付加情報フレーム、左眼用画像フレームまたは右眼用画像フレームに対する外乱情報を含む画像フレームなどを生成して画像出力制御部１０３に出力する。なお、予め生成済みの付加情報を含む画像フレームをメモリに格納し、付加情報（生成）出力部１０２がメモリから付加情報を含む画像フレームを取り出して画像出力制御部１０３に出力する構成としてもよい。
【０１２９】
なお、付加情報フレームを３Ｄ画像フレームに挿入した映像データが放送局から提供される場合やメディアに記録されている場合などには、映像信号受信部１０１が付加情報フレームを３Ｄ画像フレームに挿入した映像データを入力可能であるので、この場合は、付加情報（生成）出力部１０２の処理は不要である。
【０１３０】
画像出力制御部１０３は、映像信号受信部１０１、または映像信号受信部１０１と付加情報（生成）出力部１０２からの入力画像フレームを所定のシーケンスに設定して、表示部１０４に出力する。すなわち、左眼用画像フレームと右眼用画像フレームの間に付加情報を含む付加情報画像フレームを追加した画像フレームシーケンスを生成または入力して表示部１０４に出力する。表示部１０４は、画像出力制御部１０３の出力する画像フレームシーケンスを表示する。
【０１３１】
具体的には、画像出力制御部１０３は、先に実施例１〜３において説明したフレームｆ０１〜ｆ０４を各実施例で説明した具体例に応じた順番に設定して出力する。表示部１０４は、画像出力制御部１０３によって制御されたシーケンスで画像表示を実行する。表示される画像は、先の実施例１〜３において説明したように３Ｄ画像の構成フレームと付加情報設定フレームが所定のシーケンスに設定された画像である。
【０１３２】
なお、付加情報画像フレームを、図１５に示すような左眼用画像フレームまたは右眼用画像フレームの構成画像に付加情報を追加した多重情報画像フレームとする場合、画像出力制御部１０３は、映像信号受信部１０１と付加情報（生成）出力部１０２からの入力情報に基づいて多重情報画像フレームを生成する。
【０１３３】
垂直同期信号検出部１０５は、画像出力制御部１０３において実行されるフレーム切り替えタイミングに応じた垂直同期信号を検出して制御信号出力部１２０に出力する。
【０１３４】
制御信号出力部１２０は、垂直同期信号検出部１０５から入力する垂直同期信号に応じて、予め設定されたタイミングで、３Ｄ画像観察用眼鏡に対する制御信号を出力する。
【０１３５】
制御信号出力部１２０は、例えば以下の制御信号を出力する。
表示部１０４に対する左眼用画像フレームの表示タイミングにおいて左眼に対するシャッタのみを開状態に設定する制御信号、
表示部１０４に対する右眼用画像フレームの表示タイミングにおいて右眼に対するシャッタのみを開状態に設定する制御信号、
表示部１０４に対する付加情報画像フレームの表示タイミングにおいて左右両眼に対するシャッタを閉状態に設定する制御信号、
これらの制御信号を出力する。なお、制御信号の具体例については図１９を参照して後段で説明する。
【０１３６】
次に、図１８を参照して、３Ｄ画像観察用眼鏡側の構成例について説明する。３Ｄ画像観察用眼鏡は、図１８に示すように、眼鏡制御部２１１と、左眼用シャッタ２１５、右眼用シャッタ２１６を有する。眼鏡制御部２１１は、制御信号受信部２１２、シャッタ制御部２１３を有する。
【０１３７】
眼鏡制御部２１１の制御信号受信部２１２は、画像表示装置１００側の制御信号出力部１２０の出力する制御信号を受信する。制御信号の例について、図１９を参照して説明する。制御信号は、例えば、図１９に示すように２ビット信号００，０１，１０，１１の４種類の信号によって構成される。
【０１３８】
図１９に示す例は、各制御信号を以下の制御を実行させる設定とした例である。
制御信号＝００：左眼シャッタを閉、右眼シャッタを閉
制御信号＝０１：左眼シャッタを開、右眼シャッタを閉
制御信号＝１０：左眼シャッタを閉、右眼シャッタを開
制御信号＝１１：左眼シャッタを開、右眼シャッタを開
【０１３９】
図１８に示す眼鏡制御部２１１の制御信号受信部２１２は、このような００〜１１のいずれかの制御信号を画像表示装置１００側の制御信号出力部１２０から受信すると、制御信号に応じたシャッタ開閉コマンドをシャッタ制御部２１３に出力する。シャッタ制御部２１３は、制御信号受信部２１２から入力するコマンドに応じて、左眼用シャッタ２１５、右眼用シャッタ２１６を制御して、それぞれの制御信号に応じたシャッタ状態に設定する処理を行う。
【０１４０】
先に実施例１〜３において説明した様々なシャッタ制御は、この制御信号を利用して実行される。画像表示装置の画像表示と、制御信号の転送およびシャッタ制御シーケンスの一例について図２０を参照して説明する。図２０には、左側に画像表示装置側の処理シーケンスを示し、右側に３Ｄ画像観察用眼鏡のシャッタ制御シーケンスを示している。
【０１４１】
画像表示装置は、ステップＳ１０１において画像出力制御部の制御によって、３Ｄ画像を構成する左眼用画像を表示する。さらに、制御信号出力部が制御信号（０１）を出力する。この制御信号は３Ｄ画像観察用眼鏡の制御信号受信部によって受信され、制御信号（０１）に応じたシャッタ制御が行われる。この場合、左目用シャッタを開、右眼用シャッタを閉とする処理が行なわれる。
【０１４２】
次に、画像表示装置は、ステップＳ１０２において画像出力制御部の制御によって、付加情報設定フレームを表示する。さらに、制御信号出力部が制御信号（００）を出力する。この制御信号は３Ｄ画像観察用眼鏡の制御信号受信部によって受信され、制御信号（００）に応じたシャッタ制御が行われる。この場合、左目用シャッタ、右眼用シャッタを双方とも閉とする処理が行なわれる。
【０１４３】
次に、画像表示装置は、ステップＳ１０３において画像出力制御部の制御によって、３Ｄ画像を構成する右眼用画像を表示する。さらに、制御信号出力部が制御信号（１０）を出力する。この制御信号は３Ｄ画像観察用眼鏡の制御信号受信部によって受信され、制御信号（１０）に応じたシャッタ制御が行われる。この場合、左目用シャッタを閉、右眼用シャッタを開とする処理が行なわれる。
【０１４４】
次に、画像表示装置は、ステップＳ１０４において画像出力制御部の制御によって、付加情報設定フレームを表示する。さらに、制御信号出力部が制御信号（００）を出力する。この制御信号は３Ｄ画像観察用眼鏡の制御信号受信部によって受信され、制御信号（００）に応じたシャッタ制御が行われる。この場合、左目用シャッタ、右眼用シャッタを双方とも閉とする処理が行なわれる。
【０１４５】
ステップＳ１０５〜Ｓ１０８はステップＳ１０１〜Ｓ１０４の繰り返しである。以下、同様の処理が繰り返し実行される。
この制御シーケンスによって、３Ｄ画像観察用眼鏡を装着した観察者は、３Ｄ画像を構成する左眼用画像を左眼で観察し、右眼用画像を右眼で観察することになり、立体画像を知覚することができる。
【０１４６】
一方、３Ｄ画像観察用眼鏡を装着していない観察者は、３Ｄ画像を構成する左眼用画像と右眼用画像を両眼で観察し、さらに付加情報設定フレームを観察することになり、積分効果によってすべての画像の加算画像が観察される。結果として、実施例１の例では、付加情報としてのメッセージ「メガネをかけてご覧ください」を確認することができる。また、実施例２において説明した反転画像を付加情報として設定した場合は、グレー画像が近くイメージとして認識されることになる。
【０１４７】
なお、図２０に示す制御シーケンスは、もっとも単純な制御シーケンスを示している。実施例１〜３において説明した画像切り替え、およびシャッタ制御を実行する場合は、前述の実施例の各処理態様に応じたシーケンスで制御信号を転送して制御を行うことが必要である。
【０１４８】
前述の実施例中の複雑な例の１つである実施例３において説明した図１５に示す制御シーケンスに対応した制御を行う場合の制御信号の設定と発行タイミングについて図２１を参照して説明する。
【０１４９】
図２１は、付加情報としてのメッセージの表示領域が画面下部にあることを利用して、付加情報としてのメッセージを３Ｄ画像観察用眼鏡装着者には観察させず、かつ輝度低下を防止した画面切り替えおよびシャッタ制御シーケンスを示す図である。図２１に示すフレームｆ０２，ｆ０４は左眼用画像フレームまたは右眼用画像フレームの構成画像に付加情報を追加した多重情報画像フレームとして構成されている。
【０１５０】
図２１は、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
（ｄ）画像表示装置から３Ｄ画像観察用眼鏡に対する制御信号出力シーケンス
これらを示している。
【０１５１】
また、図２１に示す例において、
フレームｆ０１＝左眼用画像、
フレームｆ０２＝左眼用画像に付加情報（メッセージ）を加算した多重情報画像、
フレームｆ０３＝右眼用画像、
フレームｆ０４＝右眼用画像に付加情報（メッセージ）を加算した多重情報画像、
これらの画像フレームである。
【０１５２】
３Ｄ画像観察用眼鏡のシャッタ制御は、図２１（ｂ），（ｃ）に示すように設定する。例えば、フレームｆ０１からフレームｆ０２の切り替え時に、左眼用シャッタの閉じるタイミングを遅らせる。フレームｆ０１からフレームｆ０２の切り替え時が図に示す時間ｔｂであるが、左眼用シャッタの閉じるタイミングはこの時間ｔｂより後の時間ｔｃとする。
【０１５３】
時間ｔａ〜ｔｃの期間、左眼用シャッタは開放状態にある。フレーム切り替えは時間ｔｂに開始されるが、ｔｂ〜ｔｃの期間に表示されるフレームｆ０２は、図２１（ａ）に示すフレームｆ０２のｘｙラインの上半分のみである。下半分はフレーム切り替えが完了しておらず、フレームｆ０１の下半分の表示が残存した状態にある。すなわちフレームｆ０２の下側にあるメッセージは表示されていない状態である。従って３Ｄ画像観察用画像を装着した観察者の左眼にはフレームｆ０１と同じ左眼用画像が、図２１の時間軸に示すｔａ〜ｔｃの期間に渡って観察されることになる。
【０１５４】
このような制御を行う場合の画像表示装置から３Ｄ画像観察用眼鏡に対する制御信号出力シーケンスが図２１（ｄ）に示すシーケンスとなる。なお、本例では、制御信号は、フレーム切り替えの４倍の周波数で送受信が行われる例を示している。すなわち、画像表示装置における１フレームの表示期間に４回の制御信号転送処理が行われる。
【０１５５】
フレームｆ０１の表示開始時間［ｔ１］において画像表示装置から眼鏡に対して制御信号［００］が出力される。制御信号［００］は、左右の眼のシャッタを閉じた状態に設定する制御信号である。
その後、
時間［ｔ２］で制御信号［００］、
時間［ｔ３］で制御信号［０１］、
これらの制御信号が出力される。
【０１５６】
時間［ｔ３］の制御信号［０１］は、左眼シャッタを開、右眼シャッタを閉とする状態設定用の制御信号であり、眼鏡側の制御によって左眼シャッタを開、右眼シャッタを閉とする処理が実行される。
その後、
時間［ｔ４］で制御信号［０１］、
時間［ｔ５］で制御信号［０１］、
時間［ｔ６］で制御信号［００］、
これらの制御信号が出力される。
【０１５７】
時間［ｔ６］の制御信号［００］は、左眼シャッタと右眼シャッタを閉とする状態設定用の制御信号であり、眼鏡側の制御によって左眼シャッタと右眼シャッタを閉とする処理が実行される。
【０１５８】
以下、図２１（ｄ）に示すように、所定タイミングごとに制御信号００〜１１のいずれかが、画像表示装置から眼鏡側に出力され、この制御信号によって、図２１（ｂ），（ｃ）に示すシーケンスで各シャッタの開閉制御が実行されることになる。
【０１５９】
他の実施例で説明したシャッタ制御も、この図２１を参照して説明したと同様、異なるシャッタ状態を設定するための制御信号を画像表示装置から眼鏡側へ転送して、制御信号に従ったシャッタ開閉制御を行うことで実現可能である。
【０１６０】
なお、図１７に示す画像表示装置１００の制御信号出力部１２０は、先に説明したように、基本的には、以下の制御信号を出力する。
表示部１０４に対する左眼用画像フレームの表示タイミングにおいて左眼に対するシャッタのみを開状態に設定する制御信号、
表示部１０４に対する右眼用画像フレームの表示タイミングにおいて右眼に対するシャッタのみを開状態に設定する制御信号、
表示部１０４に対する付加情報画像フレームの表示タイミングにおいて左右両眼に対するシャッタを閉状態に設定する制御信号、
これらの制御信号を出力する。
【０１６１】
しかし、制御信号出力部１２０は、例えば、図５、図６に示す制御を行う際には、表示部１０４に対する付加情報画像フレームの表示開始時間に先行して左右両眼に対するシャッタを閉状態に設定する制御信号を出力し、表示部１０４に対する付加情報画像フレームの表示終了時間に先行して左右いずれか一方の眼に対するシャッタのみを閉状態に設定する制御信号を出力する。これらの制御信号出力タイミングは、垂直同期信号検出部１０５から入力する同期信号を適用して算出されるフレーム表示期間などを利用して決定する。
【０１６２】
また、例えば、実施例３において図１２〜図１５を参照して説明したように、フレーム遷移期間を考慮した処理を行う場合、制御信号出力部１２０は、表示部１０４に対する付加情報画像フレームから次の表示フレームの表示遷移期間の終了時に左右いずれか一方の眼のみに対するシャッタを閉状態に設定する制御信号を出力する。
【０１６３】
また、付加情報画像フレームが、図１５に示すような左眼用画像フレームまたは右眼用画像フレームの構成画像に付加情報を追加した多重情報画像フレームとして構成されている場合は、制御信号出力部１２０は、多重情報画像フレームの付加情報設定位置に応じて、付加情報が３次元画像観察用眼鏡を介して観察者の左右の眼のいずれにも入力しないように制御信号の出力タイミングを制御する処理を行う。
【０１６４】
［６．２次元画像情報に対応する処理例（第４実施例）］
上述した実施例では、３Ｄ画像観察用眼鏡を装着した観察者が画像表示装置に表示された３次元画像を観察し、３Ｄ画像観察用眼鏡を装着しない観察者が画像表示装置に表示された３次元画像以外の付加情報を観察する例として説明した。
【０１６５】
しかし、本発明の構成において画像表示装置に表示される画像は３Ｄ（３次元）画像であることが必須となるものではない。例えば、画像表示装置に表示される画像を２Ｄ（２次元）画像として、３Ｄ画像観察用眼鏡を装着した観察者が画像表示装置に表示された２次元画像を観察し、３Ｄ画像観察用眼鏡を装着しない観察者が画像表示装置に表示された２次元画像以外の付加情報を観察するという構成も可能である。
【０１６６】
第４実施例として、このような処理例について図２２以下を参照して説明する。
図２２は、左から右に時間経過を示し、
（ａ）画像表示装置に表示する表示画像フレーム（ｆ０１〜ｆ０４）の切り替えシーケンス
（ｂ）液晶シャッタ眼鏡の左眼用の液晶シャッタの開閉のタイミング
（ｃ）液晶シャッタ眼鏡の右眼用の液晶シャッタの開閉のタイミング
（ｄ）画像表示装置から３Ｄ画像観察用眼鏡に対する制御信号出力シーケンス
これらを示している。
【０１６７】
また、図２２に示す例において、表示フレームｆ０１，ｆ０３は、通常の２次元画像である。表示フレームｆ０２，フレームｆ０１の反転画像からなるフレームである。また、表示フレームｆ０４は、フレームｆ０３の反転画像からなるフレームである。この表示フレームｆ０１〜ｆ０４を繰り返し表示する。
【０１６８】
３Ｄ画像観察用眼鏡に対して送信する制御信号は、図２２（ｄ）に示すように、通常の２次元画像フレームであるフレームｆ０１，ｆ０３の表示期間は、制御信号［１１］、すなわち、左右のシャッタを開状態に設定するための制御信号とし、反転画像フレームであるフレームｆ０２，ｆ０４の表示期間は、制御信号［００］、すなわち、左右のシャッタを閉状態に設定するための制御信号とする。
【０１６９】
結果として、３Ｄ画像観察用眼鏡を装着した観察者は、通常の２次元画像フレームであるフレームｆ０１，ｆ０３のみを両眼で観察する。
一方、３Ｄ画像観察用眼鏡を装着しない観察者は、通常の２次元画像フレームであるフレームｆ０１，ｆ０３のみならず、反転画像フレームであるｆ０２，ｆ０４についても両眼で観察する。すなわちフレームｆ０１〜ｆ０４を連続して両眼で観察することになる。
【０１７０】
図２３に、３Ｄ画像観察用眼鏡を装着しない観察者と３Ｄ画像観察用眼鏡を装着した観察者の知覚イメージを示す。
図２３（ａ）が、３Ｄ画像観察用眼鏡を装着しない観察者３１１の知覚イメージである。
図２３（ｂ）が、３Ｄ画像観察用眼鏡３５３を装着した観察者３５１の知覚イメージである。
【０１７１】
画像表示装置４００はいずれも同じ映像、すなわち図２２に示すフレームｆ０１〜ｆ０４を繰り返し表示している。３Ｄ画像観察用眼鏡３５３を装着した観察者３５１は、通常の２次元画像フレームであるフレームｆ０１，ｆ０３のみを両眼で観察するので、通常の２次元画像を正常に視聴することができる。
一方、３Ｄ画像観察用眼鏡を装着しない観察者は、通常の２次元画像フレームであるフレームｆ０１，ｆ０３のみならず、反転画像フレームであるｆ０２，ｆ０４についても両眼で観察することになり、フレームｆ０１〜ｆ０４の加算された積分結果画像である一面がグレーとなったイメージを知覚する。
【０１７２】
このように、本発明に従えば、表示コンテンツが３Ｄ画像コンテンツである場合に限らず、例えば有料コンテンツなどに対するスクランブル処理と同様、正当な３Ｄ画像観察用眼鏡を有する正当なユーザのみにコンテンツ鑑賞を可能とし、３Ｄ画像観察用眼鏡を持たないユーザはコンテンツ鑑賞を不可能とするシステムを構築できる。
【０１７３】
なお、実施例１〜実施例４について順次、説明してきたが、これらの各実施例は複数の任意の実施例を、納適組み合わせた構成も可能である。例えば実施例４の構成に、他の実施例で説明した付加情報フレーム以外の画像フレームの表示期間を長くする設定や、フレーム遷移期間を考慮したシャッタ制御などを追加利用する構成など、様々な組み合わせとすることが可能である。
【０１７４】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１７５】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１７６】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１７７】
以上、説明したように、本発明の一実施例構成によれば、画像表示装置が左眼用画像フレームと右眼用画像フレームの間に付加情報を含む付加情報画像フレームを追加した画像フレームシーケンスを表示部に表示し、表示部に対する付加情報画像フレームの表示タイミングにおいて、観察者の装着した３次元画像観察用眼鏡の左右両眼に対するシャッタを閉状態に設定する制御信号を出力する。本構成により、３次元画像観察用眼鏡を装着した観察者は正常な３次元画像を観察でき、眼鏡非装着者は、例えば眼鏡装着を促すメッセージなどの付加情報を観察することができる。
【符号の説明】
【０１７８】
１１  観察者
２１  観察者
２３  ３Ｄ画像観察用眼鏡
３０  画像表示装置
４１  観察者
５１  観察者
５３  ３Ｄ画像観察用眼鏡
１００  画像表示装置
１０１  映像信号受信部
１０２  付加情報（生成）出力部
１０３  画像出力制御部
１０４  表示部
１０５  垂直同期信号検出部
１２０  制御信号出力部
２１０  ３Ｄ画像観察用眼鏡
２１１  眼鏡制御部
２１２  制御信号受信部
２１３  シャッタ制御部
２１５  左眼用シャッタ
２１６  右眼用シャッタ
３１１  観察者
３５１  観察者
３５３  ３Ｄ画像観察用眼鏡
４００  画像表示装置
【図２】
2010276721.tif 000003
【図３】
2010276721.tif 000004
【図１１】
2010276721.tif 000005
【図１２】
2010276721.tif 000006
【図１４】
2010276721.tif 000007
【図１７】
2010276721.tif 000008
【図１９】
2010276721.tif 000009
【図２０】
2010276721.tif 000010
【図２１】
2010276721.tif 000011
【図１】
2010276721.tif 000012
【図４】
2010276721.tif 000013
【図５】
2010276721.tif 000014
【図６】
2010276721.tif 000015
【図７】
2010276721.tif 000016
【図８】
2010276721.tif 000017
【図９】
2010276721.tif 000018
【図１０】
2010276721.tif 000019
【図１３】
2010276721.tif 000020
【図１５】
2010276721.tif 000021
【図１６】
2010276721.tif 000022
【図１８】
2010276721.tif 000023
【図２２】
2010276721.tif 000024
【図２３】
2010276721.tif 000025